(57)【要約】【課題】洗浄モード中に給水容器の水を湯沸かし容器に給水した場合に、水温の温度低下が生じることにより、湯沸かし容器の水を高温保持できないため洗浄効率を一定して行うことができない。【解決手段】湯沸かし容器の洗浄モード中に給水容器の水が湯沸かし容器に給水されたならば、洗浄モードの工程内容を変更可能とすることにより、給水後の水を沸かした後に高温保持効果を最大限に利用した効率のよい洗浄を一定して行うことができ、使い勝手を向上させることができる。【選択図】  図１
2004329652.tif 000002
【特許請求の範囲】
【請求項１】
湯沸かし容器と、前記湯沸かし容器内の液体を加熱する加熱手段と、前記湯沸かし容器に供給する液体を貯える給水容器と、前記給水容器内の液体を前記湯沸かし容器に供給する給水手段とを備え、前記湯沸かし容器の洗浄を行う容器洗浄モード実行中に前記給水容器の液体を前記湯沸かし容器に給水可能とし、前記容器洗浄モード中に給水が実施されると、前記容器洗浄モードの工程内容を変更可能とする電気湯沸かし器。
【請求項２】
容器洗浄モードの工程内容を最初の工程からやり直すように変更可能とした請求項１に記載の電気湯沸かし器。
【請求項３】
容器洗浄モードの工程内容を途中の工程からやり直すように変更可能とした請求項１に記載の電気湯沸かし器。
【請求項４】
容器洗浄モードの工程内容が変更中であることを表示する請求項１〜３のいずれか１項に記載の電気湯沸かし器。
【請求項５】
表示を点滅して行う請求項４に記載の電気湯沸かし器。
【発明の詳細な説明】
【０００１】
【発明の属する技術分野】
本発明は、湯沸かし容器、給水容器等の複数の容器を備え、長時間の使用で湯沸かし容器内に水垢等が付着した場合、湯沸かし容器内を水で満水にした後、洗浄剤を添加して行う洗浄効率を向上させる容器洗浄用の専用動作モードである湯沸かし容器の洗浄モード中に給水容器の水を湯沸かし容器に給水できる電気湯沸かし器に関するものである。
【０００２】
【従来の技術】
従来、この種の電気湯沸かし器は、湯沸かし容器洗浄用の専用動作モードを備えることで、水の高温保持効果、対流効果を最大限利用した効率のよい洗浄を行なっている（例えば、特許文献１参照）。
【０００３】
【特許文献１】
特開平９−２０６２１４号公報
【０００４】
【発明が解決しようとする課題】
しかしながら、上記従来のものでは、洗浄が効率良く行なわれるが、その洗浄モード中に給水容器の水を湯沸かし容器に給水した場合については言及されておらず、給水容器による給水動作の使い勝手を配慮したものではなかった。
【０００５】
本発明は、上記従来の課題を解決するもので、容器洗浄モード中に給水容器の水を湯沸かし容器に給水した場合に、給水するタイミングによっては湯沸かし容器の水を高温保持できないことを防いで、高温保持効果を最大限に利用した効率のよい洗浄を一定して行うことができ、使い勝手を向上させた電気湯沸かし器を提供することを目的とするものである。
【０００６】
【課題を解決するための手段】
前記目的を達成するために、本発明の電気湯沸かし器は、湯沸かし容器の容器洗浄モード実行中に給水容器の水が湯沸かし容器に給水されたならば、洗浄モードの工程内容を変更可能とする構成としたものである。
【０００７】
これによって、洗浄モード途中に給水が行なわれた時でも、給水後の水を沸かした後に高温保持効果を最大限に利用した効率のよい洗浄を一定して行うことができ、使い勝手を向上させることができる。
【０００８】
【発明の実施の形態】
本発明の請求項１に記載の発明は、湯沸かし容器と、前記湯沸かし容器内の液体を加熱する加熱手段と、前記湯沸かし容器に供給する液体を貯える給水容器と、前記給水容器内の液体を前記湯沸かし容器に供給する給水手段とを備え、前記湯沸かし容器の洗浄を行う容器洗浄モード実行中に前記給水容器の液体を前記湯沸かし容器に給水可能とし、前記容器洗浄モード中に給水が実施されると、前記容器洗浄モードの工程内容を変更可能とする電気湯沸かし器としたことで、給水が行なわれた時でも給水後の液体を沸かした後に高温保持効果を最大限に利用した効率のよい洗浄を一定して行うことができ、使い勝手を向上させることができる。
【０００９】
本発明の請求項２に記載の発明は、特に請求項１に記載の発明において、容器洗浄モードの工程内容を最初の工程からやり直すように変更可能としたことにより、給水が行なわれた時でも洗浄をより完全にすることができる。
【００１０】
本発明の請求項３に記載の発明は、特に請求項１に記載の発明において、容器洗浄モードの工程内容を途中の工程からやり直すように変更可能としたことにより、洗浄効果を保持しつつ、洗浄時間を節約することができる。
【００１１】
本発明の請求項４に記載の発明は、特に請求項１〜３のいずれか１項に記載の発明において、容器洗浄モードの工程内容が変更中であることを表示することにより、洗浄モードの工程内容が変更中であることを使用者に知らしめることができる。
【００１２】
本発明の請求項５に記載の発明は、特に請求項４に記載の発明において、表示を点滅して行うことにより、洗浄モードの工程内容が変更中であることを強調して、表示の利便性及び機能性を向上することができる。
【００１３】
【実施例】
以下、本発明の実施例について、図面を参照しながら説明する。
【００１４】
（実施例１）
図１は本発明の実施例１における電気湯沸かし器を示したものである。
【００１５】
図において、１は収容した水を沸して保温する湯沸かし容器、２は湯沸かし容器１を加熱するための９２５Ｗの主ヒータと７５Ｗの保温ヒータからなる加熱手段、３はポンプ４を駆動する出湯モータである。この出湯モータ３とポンプ４は磁気結合されており、湯沸かし容器１の湯を、水管５を介して出湯口６から排出するための出湯手段を構成している。７は水管５に対向して取り付けた赤外発光素子と受光素子からなる水量検知手段であり、３レベルの水量を検知する検知手段７ａ、７ｂ、７ｃから構成されている。検知手段７ａは満水位置に設置した満水検知、検知手段７ｃは湯沸かし容器１の空焚きを防止するために加熱手段２を停止する位置に設置した給水検知、検知手段７ｂは検知手段７ａと７ｃの中間位置に設置した中間検知をそれぞれ行う。
【００１６】
８は湯沸かし容器１に給水するための水を収容した給水容器で、ポンプ９、給水管１１と一体式で機器本体１６に対して着脱可能としている。１０はポンプ９と磁気結合された給水モータで、この駆動により、給水容器８の水を、給水管１１を介して湯沸かし容器１に給水する。そして、ポンプ９と給水モータ１０で、給水容器８の水を湯沸かし容器１に給水する給水手段を構成している。１２は使用者が操作して出湯を指示するための出湯スイッチ、１３は出湯スイッチ１２の受け付けを許可するためのロック解除スイッチ、１４は湯沸かし容器１内の湯温を検知する温度検知手段、１５は給水容器８の着脱を検知する着脱センサである。
【００１７】
１７は着脱が容易で商用電源を供給するための電源プラグ、１８は容器洗浄動作の開始停止を制御する容器洗浄開始停止手段、１９は給水手段９、１０からの入力により容器洗浄モードの工程内容を変更する洗浄モード工程内容変更手段、２０は水量検知手段７、温度検知手段１４、容器洗浄開始停止手段１８、及び洗浄モード工程内容変更手段１９からの入力によって加熱手段２と動作モード表示手段２１を制御する加熱制御手段である。
【００１８】
以上のような構成において、その動作を説明する。電源プラグ１７をコンセントに挿入して機器に商用電源を投入すると動作を開始し、温度検知手段１４で検知する温度が８５℃未満ならば沸騰モードへ移行し、湯沸かし動作を行う。
【００１９】
まず、湯沸かし容器１の水量が検知手段７ｃより少ない時、加熱制御手段２０による加熱手段２の加熱は停止している。給水手段９、１０は、湯沸かし容器１の水量が検知手段７ａより少なく、着脱センサ１５により給水容器８の装着が検知されているときに自動的に給水を開始し、水量が検知手段７ａ以上になると給水を停止する。加熱制御手段２０により加熱手段２は水量が給水検知手段７ｃを超えた時点で加熱を開始し、以後温度検知手段１４の入力で加熱制御手段２０により沸騰検知するまで加熱手段２の主ヒータによる加熱、沸騰検知以後は加熱手段２の保温ヒータによる９８℃保温を行う。
【００２０】
ここで、出湯手段３、４を動作させると、水管５および出湯口６内を湯が通るため水量検知手段７による検知水量は必ず満水検知手段７ａまで水量があると検知してしまう。このため、出湯中は水量検知手段７による湯沸かし容器１の湯量検知を禁止する構成となっている。
【００２１】
９８℃保温中の動作は満水時から出湯を繰り返すと湯沸かし容器１内の湯量は減っていくが、湯量が検知手段７ｂ以上あるとき、または、着脱センサ１５により給水容器８が装着されていないと検知されているときは給水手段９、１０による給水は行わない。そして、湯量が検知手段７ｂ未満と検知され、かつ、着脱センサ１５により給水容器８が装着されていることが検知され、検知した時点から３分経過後に給水手段９、１０による給水動作を開始する。
【００２２】
その後、検知手段７ａ以上を検知すると給水手段９、１０を停止させ、給水途中あるいは給水終了後に、水を給水した結果湯温が下がり、保温温度９８℃から９３℃未満になると温度検知手段１４がこれを検知して加熱手段２により加熱を開始する。
【００２３】
容器洗浄開始停止手段１８は使用者が自由に設定できるスイッチ入力となっており、沸騰モード、保温モードのいずれのモードにおいても容器洗浄開始停止手段１８より信号入力されると、容器洗浄モードへ移行する。また、容器洗浄モード中に容器洗浄開始停止手段１８より信号入力されると、温度検知手段１４からの温度が８５℃以上ならば保温モードへ、８５℃未満なら沸騰モードへと移行する。
【００２４】
更に、図２により詳細を説明する。図２は実施例１における電気湯沸かし器のフローチャートを示したものである。
【００２５】
機器が容器洗浄モードに移行すると、ステップ１にて沸騰モード時と同様に水量検知手段７と加熱制御手段２０の働きで、加熱手段２を制御して水を沸騰加熱させ、ステップ２にて温度検知手段１４により沸騰検知するまで加熱手段２の主ヒータによる加熱を行う（本実施例では本工程を洗浄モードＩとする）。ステップ２にて沸騰検知した後は、ステップ４にて給水手段９、１０による給水動作がなければ、ステップ３にて加熱制御手段２０の働きで加熱手段２を制御し、ステップ５にて加熱制御手段２０内であらかじめ設定された所定時間（本実施例では１５分）、所定周期（本実施例では３０秒周期）、所定デューティー（本実施例では８秒オフ／２２秒オン）に従って沸騰加熱の断続動作を行う（本実施例では本工程を洗浄モードＩＩとする）。断続動作終了後、ステップ６にてやはり加熱制御手段２０の働きで、加熱手段２を制御して水を保温加熱する動作（本実施例では本工程を洗浄モードＩＩＩとする）へ移行し容器洗浄モードは終了する。
【００２６】
ステップ２にて沸騰検知した後の工程である洗浄モードＩＩの途中、つまり、加熱制御手段２０内であらかじめ設定された所定時間が経過するまでにステップ４にて給水手段９、１０による給水動作があったならば、再度、洗浄モードＩに戻り、ステップ２にて温度検知手段１４により沸騰検知するまで加熱手段２の主ヒータによる加熱を行ない、その後洗浄モードＩＩ以降を繰り返す。また、洗浄モードＩＩＩの途中においてもステップ７にて給水手段９、１０による給水動作があったならば洗浄モードＩに戻り同様の動作を実施する。
【００２７】
以上のような構成により、洗浄モード中に給水容器８の水が湯沸かし容器１に給水されて水温が低下した場合でも、給水後の水を沸かした後に高温保持効果を最大限に利用した効率のよい洗浄を一定して行うことができ、給水動作がないときと同等の洗浄効果を得ることができる。
【００２８】
（実施例２）
本発明の実施例２における電気湯沸かし器について図１、図３を基に説明する。図３は実施例２における電気湯沸かし器のフローチャートを示したものである。本実施例において実施例１と異なる点は、沸騰検知した後の工程である洗浄モードＩＩの途中、つまり、加熱制御手段２０内でステップ５にてあらかじめ設定された所定時間が経過するまでにステップ４にて給水手段９、１０による給水動作があったならば、洗浄モードＩＩの初期に戻り、加熱制御手段２０内であらかじめ設定された所定時間、所定周期、所定デューティーに従って沸騰加熱の断続動作を行う。また、洗浄モードＩＩＩの途中においてもステップ７にて給水手段９、１０による給水動作があったならば洗浄モードＩＩに戻り同様の動作を実施するようにしたことである。
【００２９】
なお、本実施例では給水動作があったならば、洗浄モードＩＩの初期に戻るとしたが、給水動作があった洗浄モードの工程を延長する、あるいは、給水中または給水終了後に別の専用工程にて洗浄工程を行うとしてもよい。
【００３０】
以上のような構成により、洗浄効果を保持しつつ洗浄時間を節約することができる。
【００３１】
（実施例３）
図４は本発明の実施例３における電気湯沸かし器を示したものである。図において、図１と同一の機能を有するものは同一の符号を付与し説明を省略する。
【００３２】
本実施例において実施例１と異なる点は、洗浄モードの工程内容が変更されたことを表示する表示手段２２を新たに設けて、洗浄モードＩＩまたはＩＩＩの途中に給水手段９、１０による給水動作があって工程内容が変更中であることを加熱制御手段２０により表示させるようにしたことである。
【００３３】
以上のような構成により、洗浄モード中に給水容器８の水が湯沸かし容器１に給水されて水温が低下した場合でも、給水後の水を沸かした後に高温保持効果を最大限に利用した効率のよい洗浄を一定して行うことができ、給水動作がないときと同等の洗浄効果を得ることができることに加えて、使用者に洗浄モードの工程が変更されたことを知らしめることができ、使い勝手が良くなる。
【００３４】
（実施例４）
本発明の実施例４における電気湯沸かし器について図４を基に説明する。
【００３５】
本実施例において実施例３と異なる点は、表示手段２２で表示する表示を点滅（本実施例では０．５秒毎に点滅）して行うようにしたことである。なお、本実施例では０．５秒毎に点滅としたが０．２秒、１．０秒でもよく、仕様目的などによってこの点滅周期は変わる。
【００３６】
以上の構成により、使用者に、洗浄モードの工程が変更された旨を強調して知らしめることができ、使い勝手が良くなる。
【００３７】
【発明の効果】
以上のように本発明は、湯沸かし容器の洗浄モード中に給水が行なわれた時でも、給水後の水を沸かした後に高温保持効果を最大限に利用した効率のよい洗浄を一定して行うことができ、使い勝手を向上させることができる。
【図面の簡単な説明】
【図１】本発明の実施例１〜２における電気湯沸かし器の構成図
【図２】本発明の実施例１における電気湯沸かし器のフローチャート
【図３】本発明の実施例２における電気湯沸かし器のフローチャート
【図４】本発明の実施例３〜４における電気湯沸かし器の構成図
【符号の説明】
１  湯沸かし容器
２  加熱手段
８  給水容器
９  ポンプ（給水手段）
１０  給水モータ（給水手段）
２２  表示手段
【図１】
2004329652.tif 000003
【図２】
2004329652.tif 000004
【図３】
2004329652.tif 000005
【図４】
2004329652.tif 000006